(57)【要約】【課題】ハウス状の本体枠の入り口に来たゴキブリを誘引剤を配置した底板中央部に導きやすく形成することで捕獲効率を向上できるようにしたゴキブリ捕獲器を提供する。【解決手段】所定形状に打ち抜いた一枚のシート２を所定の配置で形成した折り曲げ線３や切込線４を介して折り曲げることで、粘着剤５およびその上に誘引剤６を塗布した底板７と、底板７の両側に設けた両側板８およびその先端に連続する天井板９と、底板７の両端に設けた上方が内側傾斜の踏み板１３等でゴキブリ入口１１を有するハウス状本体枠１２を構成し、底板７から所定の間隔浮かして、かつゴキブリ入口１１から誘引剤６の近傍まで延びるゴキブリ誘導板１４を設けたことを特徴とする。【選択図】図３
2004194525.tif 000002
【特許請求の範囲】
【請求項１】
所定形状に打ち抜いた一枚のシートを所定の配置で形成した折り曲げ線や切込線を介して折り曲げることで、粘着剤およびその上に誘引剤を塗布した底板と、底板の両側に設けた両側板およびその先端に連続する天井板とで底板の両端部や両側板にゴキブリ入口を有するハウス状本体枠を構成し、前記ゴキブリ入口の縁に形成される踏み板から前記誘引剤近傍まで延びるゴキブリ誘導板を、前記底板から所定の間隔浮かして設けたことを特徴とするゴキブリ捕獲器。
【請求項２】
前記ゴキブリ誘導板は、前記踏み板の上縁に一体に成形されていて、前記シートを折り曲げ線を介して折り曲げてハウス状本体枠を形成したとき、前記底板から所定の間隔浮いて配置され、先端は対向位置する踏み板で支持し、または、ゴキブリ誘導板の先端を下向けに折り曲げて底板で支持させることを特徴とする請求項１記載のゴキブリ捕獲器。
【請求項３】
前記ゴキブリ誘導板は、基端側から先端側にかけて配置の方向や誘導路幅を変化させる等の任意パターンを有して構成されることを特徴とする請求項１または２記載のゴキブリ捕獲器。
【請求項４】
前記ゴキブリ誘導板は、請求項２または３に記載のハウス状本体枠に一体成形する構成に代えて別部材で成形し、前記ハウス状本体枠の内側に接着等の手段で固着してなる構成を特徴とする請求項１に記載のゴキブリ捕獲器。
【請求項５】
前記ゴキブリ誘導板は、請求項２または３に記載のハウス状本体枠に一体成形する構成に代えて、ハウス状本体枠と独立に構成し、誘導板に設けた脚部を介して底板に配置することを特徴とする請求項１記載のゴキブリ捕獲器。
【発明の詳細な説明】
【０００１】
【発明の属する技術分野】
本発明は、ゴキブリ捕獲器に関するものである。
【０００２】
【従来の技術】
従来、所定形状に打ち抜いた一枚の厚紙シートを組立ててゴキブリ捕獲器を形成するものが知られている。このゴキブリ捕獲器は、粘着剤を塗布すると共に、その中央部に誘引剤を配付した底板の両側に平行な折り目線を設けて両側板と天井板を曲げ形成し、さらに、底板の両端に斜めに傾斜した踏み板とを曲げ形成したハウス状のゴキブリ捕獲器としたものが汎用されており、例えば、実開昭６１−１９７８０号公報や特開２００２−２０９４９７号公報などに開示されている。
【０００３】
【特許文献１】
実開昭６１−１９１７８０号公報
【特許文献２】
特開２００２−２０９４９７号公報
【０００４】
【発明が解決しようとする課題】
特許文献１、２の他にもゴキブリ捕獲器に関しては多数の改良案が提案されているが、一枚の厚紙シートをハウス状に組立ててなる捕獲器本体に近づいたゴキブリを、さらに粘着材を全面に塗布した底板の中央部に配置の誘引剤に確実に誘導する、つまり捕獲効率を一層向上させる点に関しては、従来のゴキブリ捕獲器は未だ改良の余地が残されていた。特に、ゴキブリは、誘引剤に誘われて捕獲器本体の傾斜した踏み板や窓などがある入口にまで近づいても、底板の中央部に配置の誘引剤から離れた位置にあるので、誘引剤の臭いの誘引効果が弱く、誘引剤の臭いに引かれるよりも、身の危険を感じる感知本能が勝って、踏み板の先端縁から引き返すことがあり、このゴキブリは再度近づくことが少なく、その分捕獲効率が低下していた。
【０００５】
本発明は、一枚の厚紙シートをハウス状に組立ててなる捕獲器本体に近づいたゴキブリを、さらに底板中央部に配置の誘引剤にまで確実に誘導する。つまり、捕獲器本体の入り口に近づいたゴキブリを、粘着剤に邪魔されることなく誘引剤を配置した底板中央部に確実に誘導することで捕獲効率を向上したゴキブリ捕獲器を提供することを目的とする。
【０００６】
【課題を解決するための手段】
前記の課題を解決するため、本発明は次のように構成する。
【０００７】
第１の発明は、所定形状に打ち抜いた一枚のシートを所定の配置で形成した折り曲げ線や切込線を介して折り曲げることで、粘着剤およびその上に誘引剤を塗布した底板と、底板の両側に設けた両側板およびその先端に連続する天井板とで底板の両端部や両側板にゴキブリ入口を有するハウス状本体枠を構成し、前記ゴキブリ入口の縁に形成される踏み板から前記誘引剤近傍まで延びるゴキブリ誘導板を、前記底板から所定の間隔浮かして設けたことを特徴とする。
【０００８】
第２の発明は、第１発明において、前記ゴキブリ誘導板は、前記踏み板の上縁に一体に成形されていて、前記シートを折り曲げ線を介して折り曲げてハウス状本体枠を形成したとき、前記底板から所定の間隔浮いて配置され、先端は対向位置する踏み板で支持し、または、ゴキブリ誘導板の先端を下向けに折り曲げて底板で支持させることを特徴とする。
【０００９】
第３の発明は、第１、第２の発明において、前記ゴキブリ誘導板は、基端側から先端側にかけて配置の方向や誘導路幅を変化させる等の任意パターンを有して構成されることを特徴とする。
【００１０】
第４の発明は、第１の発明において、前記ゴキブリ誘導板は、請求項２または３に記載のハウス状本体枠に一体成形する構成に代えて別部材で成形し、前記ハウス状本体枠の内側に接着等の手段で固着してなる構成を特徴とする。
【００１１】
第５の発明は、第１の発明において、前記ゴキブリ誘導板は、第２または第３の発明のハウス状本体枠に一体成形する構成に代えて、ハウス状本体枠と独立に構成し、誘導板に設けた脚部を介して底板に配置することを特徴とする。
【００１２】
【作用】
本発明は、一枚の厚紙シートをハウス状に組立ててなるハウス状本体枠の入り口を形成する傾斜した踏み板等に来たゴキブリを、該踏み板等の入口上縁に連続する誘導板に沿って誘導して誘引剤を配置した底板中央部に導きやすく形成するので、誘引剤のごく近くまで来たゴキブリは、該誘引剤に導かれてもはや引き返すことは少なく、したがって、ゴキブリの捕獲効率は著しく向上する。
【００１３】
【発明の実施の形態】
以下本発明の実施形態を図を参照して説明する。
【００１４】
図１〜図３は、本発明の第１実施形態を示し、図１はゴキブリ捕獲器の完成時の斜視図、図２（ａ）、（ｂ）は、所定形状に打ち抜いた厚紙シートを折り曲げ線を介して折り曲げていく過程を示す斜視図、図３（ａ）は、所定形状に打ち抜いた厚紙シートの展開図、図３（ｂ）は、同（ａ）の組立時の中央部断面図である。
【００１５】
図１〜図３に示す第１実施形態において、ゴキブリ捕獲器１は、図３に示すように所定形状に打ち抜いた一枚のシート２に所定の配置で形成した複数の折り曲げ線３・・・を介して前記シート２を所定形状に折り曲げることで、粘着剤５およびその上に誘引剤６を塗布した底板７と、底板７の両側に設けた両側板８およびその先端に連続する天井板９と、両側板８に切込線４を入れて組立時に天井板９の一部から水平に突出させる水平張出部１０と、底板７の両端に設けた上部が内側に傾斜した踏み板１３等で複数のゴキブリ入口１１を有するハウス状本体枠１２を構成する。
【００１６】
さらに説明すると、前記一枚のシート２は、図２に示す順に各部を折り曲げ線３・・を介して折り曲げ、さらに切込線４を介してその内側を外に折り曲げることで、天井板９から水平張出部１０が形成されたハウス状本体枠１２が図１、図３（ｂ）に示すように構成される。
【００１７】
本発明の主要素は、前記のハウス状本体枠１２に形成されるゴキブリ入口１１の縁に形成される踏み板１３から底板７の中央部に配置した誘引剤６の近傍まで延びるゴキブリ誘導板１４を設け、かつ、それにより粘着剤５の塗布面積を減少することなく、ゴキブリ誘導板１４を粘着剤５を塗布した底板７から所定の間隔浮かして設けた点にある。
【００１８】
ゴキブリ誘導板１４は、基本的にハウス状本体枠１２の両側部や両端部に形成されるゴキブリ入口１１の踏み板１３から、底板７の上面全体に塗布した粘着剤５の中央部に延びて設けることである。ゴキブリ入口１１は、ハウス状本体枠１２の両側部にあっては、両側板８に設けた切込線４を介してその切込線４の内側を外側に曲げることで形成されるので、この場合は、ゴキブリ入口１１の下端縁から誘引剤６の位置まで延びるように設ける（この例は図示を省略する）。
【００１９】
本発明の各実施形態では、底板７の両端の傾斜した踏み板１３と一体にゴキブリ誘導板１４を設けた例を示す。第１実施形態では、ゴキブリ誘導板１４は、細幅通路１５の基端が一方の踏み板１３の上縁に一体成形されていて、細幅通路１５の中間部にドーナツ状通路１６を形成してあり、組立時、細幅通路１５の先端を対向する踏み板１３の上部に開設の係合孔１７に係合することで、ゴキブリ誘導板１４を底板７の上方に間隔をあけた位置に保持できる。ゴキブリ誘導板１４をどの底板７からどの程度浮かせるかは任意に設定してよい。
【００２０】
したがって、誘引剤６の臭いに誘われて踏み板１３を上ったゴキブリ２１は、底板７の周縁部に位置する粘着剤５に邪魔されて、身の危険を感じて引き返すことがなく、該底板７の中央部に配置の誘引剤６の近くまでゴキブリ誘導板１４上を進むことができる。誘引剤６の直近まで近づいたゴキブリ２１は誘引剤６の強い臭いに引かれてもはや引き返さず、したがって、底板７の全面に塗布してある粘着剤５に捕らえられて逃げることができなくなり、捕獲効率が向上する。
【００２１】
図４〜図７は、ゴキブリ誘導板１４の第２〜第５実施形態を示す。図４の第２実施形態は、底板７の一端の傾斜した踏み板１３と一体にゴキブリ誘導板１４を設けた例を示す。第２実施形態では、ゴキブリ誘導板１４は、基端の細幅通路１８が一方の踏み板１３の上縁に一体成形されていて、細幅通路１８の先が分岐通路１９となっていて、各分岐通路１９の先端は、対向する踏み板１３の近傍まで延びており、かつ傾斜先端通路２０となっていて、その先端を底板７の上面で支持させることで、分岐通路１９を底板７の上方に所定の間隔をあけて保持している。
【００２２】
したがって、第２実施形態によっても、踏み板１３を上ったゴキブリ２１はゴキブリ誘導板１４上を進み、底板７の中央部に配置の誘引剤６の近くまで進むことができ、誘引剤６の臭いに引かれてもはや引き返すことはせず、したがって、粘着剤５に捕らえられて逃げることができなくなる。
【００２３】
図５の第３実施形態は、底板７の一端の傾斜した踏み板１３と一体にゴキブリ誘導板１４を設けた例を示す。第３実施形態では、ゴキブリ誘導板１４は、ほぼＵ字状の分岐通路１９の基端が一方の踏み板１３の上縁に一体成形されていて、分岐通路１９の先端が細幅通路１８で交わっており、各分岐通路１９の先端は、対向する踏み板１３の近傍まで延びており、かつ先端の細幅通路１８を下向きに折り曲げ、その先端を底板７の上面で支持させることで、分岐通路１９をゴキブリ誘導板１４の上方に間隔をあけた位置に保持している。
【００２４】
したがって、第３実施形態によっても、踏み板１３を上ったゴキブリ２１はゴキブリ誘導板１４上を進み、粘着剤５に邪魔されることなく底板７の中央部に配置の誘引剤６の近くまで進むことができ、誘引剤６の強い臭いに引かれてもはや引き返すことはせず、したがって、粘着剤５に捕らえられて逃げることができなくなる。
【００２５】
図６の第４実施形態は、底板７の一端の傾斜した踏み板１３と一体にゴキブリ誘導板１４を設けた例を示す。第４実施形態では、ゴキブリ誘導板１４は、Ｖ字状に配置された分岐通路１９の基端が一方の踏み板１３の上縁に一体成形されていると共に、分岐通路１９の先端が細幅通路１８で交わっており、各分岐通路１９の先端は対向する踏み板１３の近傍まで延びており、かつ先端の細幅通路１８を下向きに折り曲げ、その先端を底板７の上面で支持させることで、分岐通路１９をゴキブリ誘導板１４の上方に間隔をあけた位置に保持している。
【００２６】
したがって、第４実施形態によっても、踏み板１３を上ったゴキブリ２１はゴキブリ誘導板１４上を進み、周辺の粘着剤５に邪魔されずに底板７の中央部に配置の誘引剤６の近くまで進むことができ、誘引剤６の臭いに引かれてもはや引き返すことはせず、したがって、粘着剤５に捕らえられて逃げることができなくなる。
【００２７】
図７の第５実施形態は、底板７の一端の傾斜した踏み板１３と一体にゴキブリ誘導板１４を設けた例を示す。第５実施形態では、ゴキブリ誘導板１４は、両側に沿って波状凸凹部２３を有する細幅通路２２の基端が一方の踏み板１３の上縁に一体成形されていて、細幅通路２２の先が対向する踏み板１３まで延びている。そして、組立時、細幅通路２２の先端を対向する踏み板１３の上部に開設の係合孔１７に係合することで、ゴキブリ誘導板１４を底板７の上方に間隔をあけた位置に保持できる。
【００２８】
したがって、第５実施形態によっても、踏み板１３を上ったゴキブリ２１はゴキブリ誘導板１４上を進み、底板７の中央部に配置の誘引剤６の近くまで進むことができ、誘引剤６の臭いに引かれてもはや引き返すことはせず、したがって、粘着剤５に捕らえられて逃げることができなくなる。
【００２９】
なお、第１〜第５実施形態の他にも、ゴキブリ誘導板１４の形状パターンは、任意形状に形成してよい。また、ゴキブリ誘導板１４はシート２と一体に設けてもよいし、別部材として設けてもよい。さらに、シート２と一体に設ける場合も、底板７の端部の踏み板１３に限らず、水平張出部１０の円弧状の切込線４を介して形成のゴキブリ入口１１の下部の踏み板２４に設けるなど設置位置も自由である。大切なことは、底板７の広い全面に設けられた粘着剤５の中央部にある誘引剤６にゴキブリ２１が近づきやすくするためのゴキブリ誘導用の歩行橋を粘着剤層の上方に掛けることであり、こうして粘着剤５の有効面積を減少しないように、粘着剤５の面から浮かして配置していることである。
【００３０】
【発明の効果】
本発明は、一枚の厚紙シートをハウス状に組立ててなる本体枠の入り口を形成する傾斜した踏み板等に来たゴキブリを、該踏み板等の入口上縁に連続する誘導路に沿って誘導して誘引剤を配置した底板中央部に導きやすく形成するので、誘引剤のごく近くまで来たゴキブリは、該誘引剤に導かれてもはや引き返すことは少なく、したがって、ゴキブリの捕獲効率は著しく向上する。
【図面の簡単な説明】
【図１】第１実施形態に係るゴキブリ捕獲器の完成時の斜視図である。
【図２】（ａ）、（ｂ）は、所定形状に打ち抜いた厚紙シートを折り曲げ線を介して折り曲げていく過程を示す斜視図である。
【図３】（ａ）は、第１実施形態のゴキブリ捕獲器を形成する厚紙シートの展開図、（ｂ）は、組立時の中央部長手方向断面図である。
【図４】（ａ）は、第２実施形態のゴキブリ捕獲器を形成する厚紙シートの展開図、（ｂ）は、組立時の中央部長手方向断面図である。
【図５】（ａ）は、第３実施形態のゴキブリ捕獲器を形成する厚紙シートの展開図、（ｂ）は、組立時の中央部長手方向断面図である。
【図６】（ａ）は、第４実施形態のゴキブリ捕獲器を形成する厚紙シートの展開図、（ｂ）は、組立時の中央部長手方向断面図である。
【図７】（ａ）は、第５実施形態のゴキブリ捕獲器を形成する厚紙シートの展開図、（ｂ）は、組立時の中央長手方向断面図である。
【符号の説明】
１  ゴキブリ捕獲器
２  シート
３  折曲げ線
４  切込線
５  粘着剤
６  誘引剤
７  底板
８  両側板
９  天井板
１０  水平張出部
１１  ゴキブリ入口
１２  ハウス状本体枠
１３  踏み板
１４  ゴキブリ誘導板
１５  細幅通路
１６  ドーナツ状通路
１７  係合孔
１８  細幅通路
１９  分岐通路
２０  傾斜先端通路
２１  ゴキブリ
２２  細幅通路
２３  波状凸凹部
２４  踏み板
【図１】
2004194525.tif 000003
【図２】
2004194525.tif 000004
【図３】
2004194525.tif 000005
【図４】
2004194525.tif 000006
【図５】
2004194525.tif 000007
【図６】
2004194525.tif 000008
【図７】
2004194525.tif 000009